【事件の表示】
　特願２０１３−　２０４８１「照明器具」拒絶査定不服審判事件〔平成２６年　８月２５日出願公開、特開２０１４−１５２６２７〕について、次のとおり審決する。
【結　論】
　本件審判の請求は、成り立たない。
【理　由】
第１　手続の経緯
　本願は、平成２５年２月５日の出願であって、平成２８年６月６日付けの拒絶理由の通知に対し、平成２８年８月４日付けで意見書が提出されるとともに手続補正がなされたが、平成２８年１２月１３日付けで拒絶査定がなされ、これに対して平成２９年２月２１日に審判の請求がなされ、その審判の請求と同時に手続補正がなされ、その後、当審において、平成３０年２月８日付けで拒絶理由が通知され、平成３０年４月６日付けで意見書が提出されるとともに手続補正がなされたものである。
第２　本願発明
　本願の請求項に係る発明は、平成３０年４月６日付けの手続補正により補正された特許請求の範囲の請求項１ないし５に記載された事項により特定されるとおりのものであると認められるところ、その請求項１に係る発明（以下、「本願発明」という。）は、以下のとおりのものである。
「【請求項１】
　モータ回転軸に連結された羽根を含み且つ略鉛直方向に延びる回転軸線を有する送風機と、発光体を含む照明部と、前記送風機の外側に前記照明部を吊り下げる吊部とを備え、室内の天井に設置される照明器具であって、
　前記羽根は、上方の空気を下方へ送り、前記室内の空間に気流を発生させるプロペラファンであり、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、かつ前記羽根の上端は前記照明部の上端よりも上方に位置し、
　前記照明器具には、前記羽根よりも上方から前記空間に空気を導入させる吸込口と、前記空間に連続するように前記空間の下方に位置し、且つ、前記空間の外部に空気を導出させる吹出口とが形成され、
　前記照明部は、上面を有し、
　前記上面は、斜め上方に向かって外側へ延びるように水平方向から傾斜して、前記照明部の外部の空気を前記吊部よりも内側の空間へ案内する案内面を形成してあり、
　全風量が８ｍ３／ｍｉｎ以上の空気が前記吹出口から吹き出されるように、前記吹出口の直径および前記羽根の直径を設定してあり、且つ、前記送風機の前記モータ回転軸が回転する速度を設定してある、照明器具。」
第３　拒絶の理由
　平成３０年２月８日付けで当審が通知した拒絶理由（以下、「当審拒絶理由」という。）は、次のとおりのものである。
　本願の請求項１に係る発明は、本願出願前に日本国内または外国において、頒布された又は電気通信回線を通じて公衆に利用可能となった、以下の引用例１に記載された発明に基いて、また以下の引用例２に記載された発明に基いて、その出願前にその発明の属する技術の分野における通常の知識を有する者（以下、「当業者」という。）が容易に発明をすることができたものであるから、特許法第２９条第２項の規定により特許を受けることができない、というものである。
引用例１．実公昭３６−２２２５１号公報
引用例２．実願昭５５−１２７４０４号（実開昭５７−５１１８８号）のマイクロフィルム
引用例３．特開２００２−１３０１８６号公報
引用例４．天井扇（シーリングファン）F-M131H詳細（スペック），日本，パナソニック株式会社，URL:http://panasonic.jp/fan/p-db/F-M131H_spec.html
引用例５．グッドデザイン・ロングライフデザイン賞，日本，１９８５年，URL:http://www.g-mark.org/award/describe/11622
第４　引用例の記載及び引用発明
１．引用例１の記載及び引用発明１
（１）引用例１には、図面とともに、以下の事項が記載されている（下線は、当審で付加した。）。
　ア．「本案は
天井より吊り下げる扇風機付蛍光灯
1は電動機、2はこの電動機に取付けた扇風機翼、3は電動機および翼を保持する取付脚
4は
上記取付脚を着脱自在に取付ける環状取付板である。
5は上記取付板に取付けた蛍光灯反射笠、7は蛍光灯取付金具、6は蛍光灯である。8はこの蛍光灯6のカバーで、図示されていないが上記蛍光灯反射笠に対し取外し自在に取り付けられている。
　イ．「
扇風機による空気の移動は一般に、その翼の回転によつて、翼後方即ちＢの方向より空気は吸入されＤの方向に放出するが、本案はこの流れによつて、即ちＢ→Ｄの流れによつて、その外周部分Ｃの方向よりも空気を吸入し合せてＤの方向に放出する
　ウ．「本案は上記のごとく
取付板上部に扇風機本体をまた下部に蛍光灯をつけた
　エ．「登録請求の範囲
　図に示すように、天井面より吊下された環状取付体4の下面に沿つて
環状蛍光灯6
　そして、記載事項ア及びウから、次の事項が理解できる。
　オ．
扇風機は、電動機1及びこの電動機に取付けた扇風機翼2を備える。
　記載事項アないしエ及び第2図の記載から、次の事項が理解できる。
　カ．
蛍光灯は、環状取付板4、該取付板に取付けた蛍光灯反射笠5、環状蛍光灯6、蛍光灯取付金具7及び前記蛍光灯反射笠5に取り付けられているカバー8を備え、全体として環状をなす。
　記載事項ア、事項オ及びカ並びに第1ないし3図の記載から、次の事項が理解できる。
　キ．
扇風機は、
取付脚3により、蛍光灯の内側に保持される。
　記載事項イ及び第1ないし3図の記載、さらに引用例１に記載された扇風機付蛍光灯は天井より吊り下げられるものであることから、次の事項が理解できる。
　ク．
扇風機翼2は、上方の空気を下方へ送るプロペラファンである。
　事項カ及び第1ないし3図の記載、さらに引用例１に記載された扇風機付蛍光灯は天井より吊り下げられるものであることから、次の事項が理解できる。
　ケ
．扇風機翼2は、全体として環状をなす蛍光灯の中心部に形成された空間に配置され、鉛直方向に沿う方向について、前記蛍光灯の上端の位置に前記扇風機翼2の下端の位置が略一致する位置に配置され、かつ前記扇風機翼2の上端は前記蛍光灯の上端よりも上方に位置する。
　記載事項イ、事項カ及び第2図の記載、さらに引用例１に記載された扇風機付蛍光灯は天井より吊り下げられるものであることから、以下の事項が理解できる。
　サ．
Ｄの方向は、蛍光灯の中心部の空間の下方の方向である。
　シ．
蛍光灯反射笠5の上面は、斜め上方に向かって外側へ延びるように水平方向から傾斜しており、扇風機翼2の外周部分Ｃ→Ｄの流れは前記上面に沿って流れる。
（２）そうすると、これらの事項からみて、引用例１には次の発明（以下、「引用発明１」という。）が記載されていると認められる。
「電動機1及びこの電動機に取付けた扇風機翼2を備える扇風機と、
　環状取付板4、該取付板に取付けた蛍光灯反射笠5、環状蛍光灯6、蛍光灯取付金具7及び前記蛍光灯反射笠5に取り付けられているカバー8を備え、全体として環状をなす蛍光灯と、
　扇風機を蛍光灯の内側に保持する取付脚3と、を備え、天井より吊り下げる扇風機付蛍光灯であって、
　扇風機翼2は、上方の空気を下方へ送るプロペラファンであり、前記蛍光灯の中心部に形成された空間に配置され、鉛直方向に沿う方向について、前記蛍光灯の上端の位置に前記扇風機翼2の下端の位置が略一致する位置に配置され、かつ前記扇風機翼2の上端は前記蛍光灯の上端よりも上方に位置し、
　扇風機翼2後方Ｂの方向より及び扇風機翼2の外周方向Ｃより空気を吸入し、前記蛍光灯の中心部に形成された空間の下方Ｄの方向に放出し、
　蛍光灯反射笠5の上面は、斜め上方に向かって外側へ延びるように水平方向から傾斜しており、扇風機翼2の外周部分Ｃ→前記蛍光灯の中心部に形成された空間の下方Ｄの流れは前記上面に沿って流れる、
扇風機付蛍光灯。」
２．引用例２の記載及び引用発明２
（１）引用例２には、図面とともに、以下の事項が記載されている（下線は、当審で付加した。）。
　ア．「実用新案登録請求の範囲
(1)　送風用羽根車(1)の正面に設けた円形螢光ランプ(15)の点灯用安定器(8)を，上記羽根車(1)の駆動用電動機(2)の支承用支持板(3)で後半ガード(4)内の後部に形成され吸気口(24)を有する安定器室(A)内に中吊り状態に設け，上記羽根車(1)の回動による吸入空気により強制冷却させるようにしたことを特徴とする円形螢光ランプ付扇風機。
(2)　送風用羽根車(1)の駆動用電動機(2)と安定器室(A)内の安定器(8)との間に，上記電動機(2)の支持板(3)から安定器室(A)内に突出させた当該安定器の取り付け支脚(9)により冷却空気の流通空間を形成させるようにした実用新案登録請求の範囲第１項記載の円形螢光ランプ付扇風機。」（明細書第１ページ第４〜１９行）
　イ．「第１図において
(1)は送風用羽根車，(2)はその駆動用電動機，(3)はこの電動機の支持板，(4)は下部に風の吸込口(5)を開設した後半ガード，
(10)は扇風機の例えば天井吊り金具で上記支持板(3)に取り付けられている。
　ウ．「
(11)は上記羽根車(1)の正面に対設させた風向き変更用回転グリル(12)の駆動用電動機(13)の取付け板で，外周縁部には吐出風案内用ベルマウス部(14)が一連に形成されている。(15)はこのベルマウス部(14)の正面に支持板(16)を介して取り付けられた円形螢光ランプ，(17)は着脱自在のその正面カバーで上記ベルマウス部(14)に係止されている。(18)はこのベルマウス部(14)の正面（反導風面）に形成された反射面，(19)はベルマウス部(14)の頂部と後半ガード(4)の頂部とに跨って設けたこれら両者の係着部，(20)はこの係着部(19)の反対側に設けた両者の結合用ヒンジ部，
　エ．「第２図は風向き変更用回転グリル(12)の駆動用電動機(13)を取り付けたその取付け板(11)の外周縁部を示す該部の拡大断面図で，この取付け板の外周縁部には吐出風案内用ベルマウス部(14)が一連に設けられ，かつその正面には円形螢光ランプ(15)の反射面(18)が形成され，さらにこの螢光ランプ(15)の正面カバー(17)が該部に着脱自在に係着されている。
　上記構成において
送風用羽根車(1)を回転させると風は後半ガード(4)の下部吸込口(5)より吸込まれ，第２図で示すように取付け板(11)のベルマウス部(14)で実線矢印のように案内され正面の風向き変更用回転グリル(12)の回転で広域にわたって拡散される。
　オ．「そして夜間は上記円形螢光ランプ(15)の点灯によりその正面カバー(17)からの直接投光の他に上記ベルマウス部(14)の正面に形成した反射面(18)で図示矢印のように反射される。」（明細書第４ページ第５〜８行）
　カ．「この考案の扇風機は以上のように円形螢光ランプ点灯用安定器を後半ガード内の後部に形成した安定器室内に中吊り状態に設けているので，その冷却効果が向上されるばかりでなく，この安定器により羽根車駆動用電動機の冷却も阻害されることがない等の利点を有するものである。」（明細書第４ページ第１８行〜第５ページ第４号）
　そして、記載事項イ及び第１図の記載から、次の事項が理解できる。
　キ．
送風用羽根車(1)の駆動用電動機(2)は、支持板(3)に取り付けられ、支持板(3)は、天井吊り金具(10)により天井から吊り下げられており、後半ガード(4)は、支持板(3)に取り付けられている。
　記載事項ウ及び第１図の記載から、以下の事項が理解できる。
　ク．
取付け板(11)は、
後半ガード(4)に取り付けられている。
　ケ．
ベルマウス部(14)、円形螢光ランプ(15)及び正面カバー(17)からなる部分は、全体として環状をなし、中心部に空間を形成する。
　記載事項エ、事項ケ及び第１図の記載、さらに引用例２に記載された円形螢光ランプ付扇風機は天井より吊り下げられるものであることから、次の事項が理解できる。
　コ．
送風用羽根車(1)は、上方の空気を下方へ送るプロペラファンであり、ベルマウス部(14)、円形螢光ランプ(15)及び正面カバー(17)からなり、全体として環状をなす部分の中心部に形成された空間に配置され、鉛直方向に沿う方向について、前記部分の上端の位置に送風用羽根車(1)の下端の位置が略一致する位置に配置され、かつ送風用羽根車(1)の上端は前記部分の上端よりも上方に位置する。
　事項ケ及び第１図の記載、さらに引用例２に記載された円形螢光ランプ付扇風機は天井より吊り下げられるものであることから、次の事項が理解できる。
　サ．
風向き変更用回転グリル(12)は、ベルマウス部(14)、円形螢光ランプ(15)及び正面カバー(17)からなり、全体として環状をなす部分の中心部に形成された空間の下方に配置されている。
（２）そうすると、これらの事項からみて、引用例２には次の発明（以下、「引用発明２」という。）が記載されていると認められる。
「送風用羽根車(1)と、送風用羽根車(1)の駆動用電動機(2)と、電動機(2)が取り付けられた支持板(3)と、支持板(3)に取り付けられた後半ガード(4)と、後半ガード(4)に取り付けられ、外周縁部に吐出風案内用ベルマウス部(14)が形成されている取付け板(11)と、送風用羽根車(1)の正面に対設させた風向き変更用回転グリル(12)と、ベルマウス部(14)の正面に支持板(16)を介して取り付けられた円形螢光ランプ(15)と、ベルマウス部(14)に係止されている正面カバー(17)と、ベルマウス部(14)の正面（反導風面）に形成された反射面(18)と、を備え、支持板(3)が天井吊り金具(10)により天井から吊り下げられている、円形螢光ランプ付扇風機であって、
　送風用羽根車(1)は、上方の空気を下方へ送るプロペラファンであり、ベルマウス部(14)、円形螢光ランプ(15)及び正面カバー(17)からなり、全体として環状をなす部分（以下、「環状部分」という。）の中心部に形成された空間に配置され、鉛直方向に沿う方向について、前記環状部分の上端の位置に送風用羽根車(1)の下端の位置が略一致する位置に配置され、かつ送風用羽根車(1)の上端は前記環状部分の上端よりも上方に位置し、
　後半ガード(4)の下部に吸込口(5)が開設され、風向き変更用回転グリル(12)は前記空間の下方に配置され、送風用羽根車(1)を回転させると、風は、吸込口(5)より吸込まれ、ベルマウス部(14)で案内され、風向き変更用回転グリル(12)の回転で広域にわたって拡散される、円形螢光ランプ付扇風機。」
３．引用例３の記載
　引用例３には、図面とともに、以下の事項が記載されている（下線は、当審で付加した。）。
　ア．「【００６０】図４は実験装置の環境を示す概念図である。図において、２℃に冷却された室外部分の内部に図４で示すような８畳間（３．６ｍ×３．６ｍ×高さ２．４ｍ）の室内部屋が設置されている。エアコンは上記部屋の一壁面のほぼ中央に設置し、循環送風機は部屋の天井面のほぼ中央に設置した。エアコンは冬場を想定し暖房運転を行なった。エアコンの設定温度は２１℃とした。部屋の中には、温度センサーが上下水平方向に４００ｍｍ間隔毎に設置され、室内を９点×９点×上下６点の合計４８６点に分割して温度分布を最新の計測室において測定した。２方向吹出しの場合は、サーキュレーターの吹出し方向がエアコンの吹出し方向に対して直角方向で１方向吹出しの場合はサーキュレーターの吹出し方向がエアコンの吹出し方向に対して直角方向と同一方向の２種類とした。室内の上下温度差は床上５ｃｍの点と床上２００ｃｍの点の室温温度差で表わした。」
　イ．「【００６４】
図５は、横軸に循環送風機の風量を縦軸に前記上下温度差を示したもので、各送風形態での効果の相違を表わしている。循環送風機を運転しない場合の上下温度差は７．４℃であった。
【００６５】この結果、
例えばサーキュレーションにより、上下温度差を運転しない場合の１／２以下の約３℃にする循環風量は１方向吹出しの場合では約１６０ｍ
３
／ｈ、２方向吹出しでは約２８０ｍ
３
／ｈ、全周吹出しでは３２０ｍ
３
／ｈ以上必要なことがわかった。
サーキュレーション効果は風量と吹出風速の積に関係すると思われる。
　そして、記載事項ア及びイ並びに図５の記載から、次の事項が理解できる。
　ウ．
循環送風機の形態が１方向吹出し、２方向吹出しまたは全周吹出しのいずれの場合でも、風量が多い程室内の上下温度差は小さい。
４．引用例４の記載
　引用例４の記載から、次の事項が理解できる。
　ア．パナソニック株式会社の天井扇（シーリングファン）Ｆ−Ｍ１３１Ｈの風量は、羽根の正回転（５０／６０Ｈｚ）時において、最小７０／７３ｍ３／ｍｉｎ、最大１６９／２０１ｍ３／ｍｉｎである。
５．引用例５の記載
　引用例５の記載から、次の事項が理解できる。
　ア．松下電器産業株式会社（当審注：平成２０年１０月に会社名を「パナソニック株式会社」に変更）の天井扇風機（シーリングファン）Ｆ−Ｍ１３１Ｈは、１９８５年度グッドデザイン・ロングライフデザイン賞を受賞している。
第５　対比及び判断
１．引用発明１について
（１）対比
　本願発明と引用発明１を対比する。
　ａ．引用発明１の「電動機1」、「扇風機翼2」及び「扇風機」は、それぞれ、本願発明の「モータ」、「羽根」及び「送風機」に相当する。そして、引用発明１は、扇風機翼2を電動機1に取付けたものであるが、電動機1が回転軸を有し、扇風機翼2が該回転軸に取付けられていることは、当業者にとって明らかである。そして、引用発明１の扇風機付蛍光灯は天井より吊り下げられるものであるから、引用例１の第2図の記載からみて、電動機1の回転軸は略鉛直方向に延びているといえる。そうすると、引用発明１の「電動機1及びこの電動機に取付けた扇風機翼2を備える扇風機」は、本願発明の「モータ回転軸に連結された羽根を含み且つ略鉛直方向に延びる回転軸線を有する送風機」に相当する。
　引用発明１の「環状蛍光灯6」は、本願発明の「発光体」に相当するから、引用発明１の「環状取付板4、該取付板に取付けた蛍光灯反射笠5、環状蛍光灯6、蛍光灯取付金具7及び前記蛍光灯反射笠5に取り付けられているカバー8を備え、全体として環状をなす蛍光灯」は、本願発明の「発光体を含む照明部」に相当する。
　引用発明１の「扇風機を蛍光灯の内側に保持する取付脚3」は、本願発明の「前記送風機の外側に前記照明部を吊り下げる吊部」と、「送風機の外側に照明部を位置させて両者を固定する固定手段」である点で一致する。
　引用発明１の「天井より吊り下げる」態様は、本願発明の「室内の天井に設置される」態様に相当し、引用発明１の「扇風機付蛍光灯」は、本願発明の「照明器具」に相当する。
　そうすると、引用発明１の「電動機1及びこの電動機に取付けた扇風機翼2を備える扇風機と、環状取付板4、該取付板に取付けた蛍光灯反射笠5、環状蛍光灯6、蛍光灯取付金具7及び前記蛍光灯反射笠5に取り付けられているカバー8を備え、全体として環状をなす蛍光灯と、扇風機を蛍光灯の内側に保持する取付脚3と、を備え、天井より吊り下げる扇風機付蛍光灯」は、本願発明の「モータ回転軸に連結された羽根を含み且つ略鉛直方向に延びる回転軸線を有する送風機と、発光体を含む照明部と、前記送風機の外側に前記照明部を吊り下げる吊部とを備え、室内の天井に設置される照明器具」と、「モータ回転軸に連結された羽根を含み且つ略鉛直方向に延びる回転軸線を有する送風機と、発光体を含む照明部と、前記送風機の外側に前記照明部を位置させて両者を固定する固定手段とを備え、室内の天井に設置される照明器具」である点で一致する。
　ｂ．引用発明１の扇風機付蛍光灯は、天井より吊り下げられるものであるから、室内に設置されるものであって、その扇風機翼2が上方の空気を下方へ送れば、当然、室内に気流が発生する。してみれば、引用発明１の「扇風機翼2は、上方の空気を下方へ送るプロペラファンであ」ることは、本願発明の「前記羽根は、上方の空気を下方へ送り、前記室内の空間に気流を発生させるプロペラファンであ」ることに相当する。
　引用発明１の「前記蛍光灯の中心部に形成された空間」は、本願発明の「前記照明部の中心部に形成された空間」に相当する。
　引用発明１の「扇風機翼2は、」「鉛直方向に沿う方向について、前記蛍光灯の上端の位置に前記扇風機翼2の下端の位置が略一致する位置に配置され」る態様は、本願発明の「前記羽根は、」「鉛直方向に沿う方向について、前記照明部の上端の位置に前記羽根の下端の位置が略一致する位置と、前記照明部の下端の位置に前記羽根の下端の位置が略一致する位置との間に配置され」る態様に相当する。
　引用発明１の「前記扇風機翼2の上端は前記蛍光灯の上端よりも上方に位置」する態様は、本願発明の「前記羽根の上端は前記照明部の上端よりも上方に位置」する態様に相当する。
　そうすると、引用発明１の「扇風機翼2は、上方の空気を下方へ送るプロペラファンであり、前記蛍光灯の中心部に形成された空間に配置され、鉛直方向に沿う方向について、前記蛍光灯の上端の位置に前記扇風機翼2の下端の位置が略一致する位置に配置され、かつ前記扇風機翼2の上端は前記蛍光灯の上端よりも上方に位置」することは、本願発明の「前記羽根は、上方の空気を下方へ送り、前記室内の空間に気流を発生させるプロペラファンであり、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、かつ前記羽根の上端は前記照明部の上端よりも上方に位置」することに相当する。
　ｃ．引用例１の第2図の記載からみて、引用発明１において、扇風機翼2後方Ｂの方向より及び扇風機翼2の外周方向Ｃより吸入された空気は、前記蛍光灯の中心部に形成された空間に導入され、当該空間の下方Ｄの方向に放出されている。引用発明１において、扇風機付蛍光灯の扇風機翼2の後方の空間は、前記空間に導入される空気の吸込口として機能し、前記空間の下方の開口部は、前記空間から当該空間の下方Ｄの方向の外部に空気を放出する吹出口として機能しており、引用発明１は、前記空間に導入される空気の吸込口及び前記空間から当該空間の下方Ｄの方向の外部に空気を放出する吹出口を備えているといえる。
　そうすると、引用発明１の「扇風機翼2後方Ｂの方向より及び扇風機翼2の外周方向Ｃより空気を吸入し、前記蛍光灯の中心部に形成された空間の下方Ｄの方向に放出」する態様は、本願発明の「前記照明器具には、前記羽根よりも上方から前記空間に空気を導入させる吸込口と、前記空間に連続するように前記空間の下方に位置し、且つ、前記空間の外部に空気を導出させる吹出口とが形成され」る態様に相当する。
　ｄ．引用発明１の「蛍光灯反射笠5の上面」は、本願発明の照明部の「上面」に相当するから、引用発明１の「蛍光灯反射笠5の上面は、斜め上方に向かって外側へ延びるように水平方向から傾斜して」いる態様は、本願発明の「前記照明部は、上面を有し、前記上面は、斜め上方に向かって外側へ延びるように水平方向から傾斜して」いる態様に相当する。
　引用発明１において、扇風機翼2の外周部分Ｃ→蛍光灯の中心部に形成された空間の下方Ｄの流れは蛍光灯反射笠5の上面に沿って流れているから、前記上面は、前記Ｃ→Ｄの流れを案内しているといえる。さらに、引用例１の第2図の記載からみて、前記Ｃ→Ｄに流れる空気は、前記蛍光灯の外部から取付脚3よりも内側の空間に流れている。すなわち、前記上面は、前記蛍光灯の外部の空気を取付脚3よりも内側の空間に案内しているといえ、引用発明１の「扇風機翼2の外周部分Ｃ→前記蛍光灯の中心部に形成された空間の下方Ｄの流れは前記上面に沿って流れる」態様は、本願発明の「前記照明部の外部の空気を前記吊部よりも内側の空間へ案内する」態様と、「前記照明部の外部の空気を送風機の外側に前記照明部を位置させて両者を固定する固定手段よりも内側の空間へ案内する」点で一致する。
　そうすると、引用発明１の「蛍光灯反射笠5の上面は、斜め上方に向かって外側へ延びるように水平方向から傾斜しており、扇風機翼2の外周部分Ｃ→前記蛍光灯の中心部に形成された空間の下方Ｄの流れは前記上面に沿って流れる」態様は、本願発明の「前記照明部は、上面を有し、前記上面は、斜め上方に向かって外側へ延びるように水平方向から傾斜して、前記照明部の外部の空気を前記吊部よりも内側の空間へ案内する案内面を形成してあ」る態様と、「照明部は、上面を有し、前記上面は、斜め上方に向かって外側へ延びるように水平方向から傾斜して、前記照明部の外部の空気を送風機の外側に前記照明部を位置させて両者を固定する固定手段よりも内側の空間へ案内する案内面を形成してあ」る点で一致する。
　ｅ．以上のことから、本願発明と引用発明１との一致点及び相違点は、以下のとおりと認められる。
【一致点】
「モータ回転軸に連結された羽根を含み且つ略鉛直方向に延びる回転軸線を有する送風機と、発光体を含む照明部と、前記送風機の外側に前記照明部を位置させて両者を固定する固定手段とを備え、室内の天井に設置される照明器具であって、
　前記羽根は、上方の空気を下方へ送り、前記室内の空間に気流を発生させるプロペラファンであり、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、かつ前記羽根の上端は前記照明部の上端よりも上方に位置し、
　前記照明器具には、前記羽根よりも上方から前記空間に空気を導入させる吸込口と、前記空間に連続するように前記空間の下方に位置し、且つ、前記空間の外部に空気を導出させる吹出口とが形成され、
　前記照明部は、上面を有し、
　前記上面は、斜め上方に向かって外側へ延びるように水平方向から傾斜して、前記照明部の外部の空気を前記固定手段よりも内側の空間へ案内する案内面を形成してある、照明器具。」
【相違点１】
　前記固定手段について、本願発明は、前記送風機の外側に前記照明部を吊り下げる吊部であるのに対し、引用発明は、扇風機を蛍光灯の内側に保持する取付脚3である点。
【相違点２】
　本願発明は、全風量が８ｍ３／ｍｉｎ以上の空気が前記吹出口から吹き出されるように、前記吹出口の直径および前記羽根の直径を設定してあり、且つ、前記送風機の前記モータ回転軸が回転する速度を設定してあるのに対し、引用発明は、そのような特定がなされていない点。
（２）判断
　相違点について検討する。
　ａ．相違点１について、引用発明１は、天井より吊り下げられるものであって、そのどの部位を吊金具10により天井から吊り下げるかは、当業者が適宜選択し得る事項である。すなわち、引用発明１において、吊金具10により扇風機を天井から吊り下げるようにすることは、当業者が適宜なし得る事項であって、そのようにした場合、取付脚3は、おのずと、扇風機に対して前記蛍光灯を吊り下げるものとなる。
　したがって、引用発明１において、相違点１に係る本願発明を特定する事項のようにすることは、当業者が容易になし得る事項である。
　ｂ．相違点２について検討すると、室内全体において空気を循環させる送風機において、全風量の多寡により当該室内の上下の温度分布が異なることは、技術常識であり（例えば引用例３参照）、また同送風機として、８ｍ３／ｍｉｎ以上の全風量は特別なものではない（例えば引用例４参照。なお、引用例５は，引用例４に記載された天井扇（F-M131H）の公開時期を示すための文献である。）。
　また、本件出願明細書及び図面を参照すると、「全風量が８ｍ３／ｍｉｎ以上」は、送風機を床面積が１３．０ｍ２、室内の床面から天井までの高さが２４００ｍｍである室内の天井の略中心に設置した場合に、ISO7330:2005に定められた上下の温度分布の基準を満たすために必要となる全風量である。しかしながら、前記基準を満たすために必要な全風量が、送風機が設置される室内の床面積や床面から天井までの高さによって変化することは明らかであるから、本願発明において全風量を８ｍ３／ｍｉｎ以上とした点に臨界的意義は認められない。
　更に、国際規格を満たすように全風量を設定し、当該全風量が得られるように、吹出口の直径、羽根の直径及び送風機のモータ回転軸の回転速度を設定することは、当業者が容易に想到し得る事項であって、その具体的な数値をどのようにするかは、当業者が実験的に適宜定め得る事項である。
　したがって、引用発明１において、相違点２に係る本願発明を特定する事項のようにすることは、当業者が容易になし得る事項である。
　ｃ．そして、本願発明の奏する効果に、引用例１に記載された事項に基いて当業者が容易に想到し得る範囲を越えるものは見いだせない。
　ｄ．以上のとおりであるから、本願発明は、引用発明１に基いて、当業者が容易に発明をすることができたものである。
　これに対し、請求人は、平成３０年度４月６日付けの意見書（以下、単に「意見書」という。）において、本願発明は、「前記照明部は、上面を有し、前記上面は、斜め上方に向かって外側へ延びるように水平方向から傾斜して、前記照明部の外部の空気を前記吊部よりも内側の空間へ案内する案内面を形成してあり」という発明特定事項を備えており、照明部の上面と天井との間に形成される流路の面積が次第に拡大するので、照明部の上面に沿って流れる空気は吊部よりも内側の空間を通ってプロペラファンの周囲まで容易に流れ、送風性能を向上させることができるという効果を奏するのに対し、引用例１に開示されている扇風機付蛍光灯は、照明部の上側に環状取付板4が設けられており、環状取付板4に設けた穴9を通じて照明部の外側の空気を取込む構成としたものであり、引用例１には前記発明特定事項は記載されておらず、示唆もされていない旨主張している（意見書【意見の内容】（３）（３−１−１），（３−１−２）参照）。
　請求人の主張について検討すると、引用例１の実用新案の説明には、穴9について、「上記取付板4に重量軽減のため特に穴9を開け」としか記載されていない。さらに、図面の記載を参照しても、請求人が主張するような穴9を通じて照明部の外側の空気を取込むことが記載されているとはいえない。むしろ、前記「第４　１．（１）」において検討したとおり、引用例１に開示されている扇風機付蛍光灯は、扇風機翼2の外周部分Ｃ→Ｄの流れが蛍光灯反射笠5の上面に沿って流れるものであって、前記「第５　１．（１）」において、検討したとおり、引用発明１は、前記発明特定事項に「照明部は、上面を有し、前記上面は、斜め上方に向かって外側へ延びるように水平方向から傾斜して、前記照明部の外部の空気を送風機の外側に前記照明部を位置させて両者を固定する固定手段よりも内側の空間へ案内する案内面を形成してある」点で一致する事項を備えている。そして、引用発明１において、取付脚3を送風機の外側に照明部を吊り下げる吊部とすることが当業者が容易になし得る事項であることは、先に検討したとおりである。
　以上のとおりであるから、請求人の主張は、採用することができない。
２．引用発明２について
（１）対比
　本願発明と引用発明２を対比する。
　ａ．引用発明２の「送風用羽根車(1)」、「送風用羽根車(1)の駆動用電動機(2)」は、それぞれ、本願発明の「羽根」、「モータ」に相当する。そして、引用発明２は、送風用羽根車(1)を電動機(2)により駆動するものであるが、電動機(2)が回転軸を有し、送風用羽根車(1)が該回転軸に連結されて駆動されることは、当業者にとって明らかである。そして、引用発明２は天井から吊り下げられるものであるから、引用例２の第１図の記載からみて、電動機(2)の回転軸は略鉛直方向に延びているといえる。そうすると、引用発明２の「送風用羽根車(1)と、送風用羽根車(1)の駆動用電動機(2)」は、合わせて、本願発明の「モータ回転軸に連結された羽根を含み且つ略鉛直方向に延びる回転軸線を有する送風機」に相当する。
　引用発明２の「円形螢光ランプ(15)」は、本願発明の「発光体」に相当し、さらに引用発明２は、円形螢光ランプ(15)が支持板(16)を介してベルマウス部(14)に取り付けられ、円形螢光ランプ(15)の点灯により、正面カバー(17)からの直接投光の他にベルマウス部(14)の正面に形成された反射面(18)で反射される光によっても照明を行うものであるから、引用発明２の「ベルマウス部(14)、円形螢光ランプ(15)及び正面カバー(17)からなり、全体として環状をなす部分」は、本願発明の「発光体を含む照明部」に相当する。
　引用発明２は、支持板(3)が天井吊り金具(10)により天井から吊り下げられ、後半ガード(4)が支持板(3)に取り付けられ、ベルマウス部(14)が形成されている取付け板(11)が後半ガード(4)に取り付けられ、円形螢光ランプ(15)が支持板(16)を介してベルマウス部(14)に取り付けられ、正面カバー(17)がベルマウス部(14)に係止されているから、引用発明２の「後半ガード(4)」は、前記環状部分を吊り下げているといえ、本願発明の「前記送風機の外側に前記照明部を吊り下げる吊部」に相当する。
　引用発明２の「天井吊り金具(10)により天井から吊り下げられている」態様は、本願発明の「室内の天井に設置される」態様に相当し、引用発明２の「円形螢光ランプ付扇風機」は、本願発明の「照明器具」に相当する。
　そうすると、引用発明２の「送風用羽根車(1)と、送風用羽根車(1)の駆動用電動機(2)と、電動機(2)が取り付けられた支持板(3)と、支持板(3)に取り付けられた後半ガード(4)と、後半ガード(4)に取り付けられ、外周縁部に吐出風案内用ベルマウス部(14)が形成されている取付け板(11)と、送風用羽根車(1)の正面に対設させた風向き変更用回転グリル(12)と、ベルマウス部(14)の正面に支持板(16)を介して取り付けられた円形螢光ランプ(15)と、ベルマウス部(14)に係止されている正面カバー(17)と、ベルマウス部(14)の正面（反導風面）に形成された反射面(18)と、を備え、支持板(3)が天井吊り金具(10)により天井から吊り下げられている、円形螢光ランプ付扇風機」は、本願発明の「モータ回転軸に連結された羽根を含み且つ略鉛直方向に延びる回転軸線を有する送風機と、発光体を含む照明部と、前記送風機の外側に前記照明部を吊り下げる吊部とを備え、室内の天井に設置される照明器具」に相当する。
　ｂ．引用発明２は、天井から吊り下げられるものであるから、室内に設置されるものであって、その送風用羽根車(1)が上方の空気を下方へ送れば、当然、室内に気流が発生する。してみれば、引用発明２の「送風用羽根車(1)は、上方の空気を下方へ送るプロペラファンであ」ることは、本願発明の「前記羽根は、上方の空気を下方へ送り、前記室内の空間に気流を発生させるプロペラファンであ」ることに相当する。
　引用発明２の「ベルマウス部(14)、円形螢光ランプ(15)及び正面カバー(17)からなり、全体として環状をなす部分（以下、「環状部分」という。）の中心部に形成された空間」は、本願発明の「前記照明部の中心部に形成された空間」に相当する。
　引用発明２の「送風用羽根車(1)は、」「鉛直方向に沿う方向について、前記環状部分の上端の位置に送風用羽根車(1)の下端の位置が略一致する位置に配置され」る態様は、本願発明の「前記羽根は、」「鉛直方向に沿う方向について、前記照明部の上端の位置に前記羽根の下端の位置が略一致する位置と、前記照明部の下端の位置に前記羽根の下端の位置が略一致する位置との間に配置され」る態様に相当する。
　引用発明２の「送風用羽根車(1)の上端は前記環状部分の上端よりも上方に位置」する態様は、本願発明の「前記羽根の上端は前記照明部の上端よりも上方に位置」する態様に相当する。
　そうすると、引用発明２の「送風用羽根車(1)は、上方の空気を下方へ送るプロペラファンであり、ベルマウス部(14)、円形螢光ランプ(15)及び正面カバー(17)からなり、全体として環状をなす部分（以下、「環状部分」という。）の中心部に形成された空間に配置され、鉛直方向に沿う方向について、前記環状部分の上端の位置に送風用羽根車(1)の下端の位置が略一致する位置に配置され、かつ送風用羽根車(1)の上端は前記環状部分の上端よりも上方に位置」することは、本願発明の「前記羽根は、上方の空気を下方へ送り、前記室内の空間に気流を発生させるプロペラファンであり、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、かつ前記羽根の上端は前記照明部の上端よりも上方に位置」することに相当する。
　ｃ．引用例２の第１図の記載からみて、引用発明２において、吸込口(5)より吸込まれる風は、円形螢光ランプ付扇風機の外部から吸込まれ、ベルマウス部(14)で案内されて前記環状部分の中心部に形成された空間に導入され、風向き変更用回転グリル(12)により拡散されつつ当該空間の下方に放出されている。引用発明２の「吸込口(5)」は、本願発明の「前記羽根よりも上方から前記空間に導入させる空気の吸込口」に相当する。引用発明２において、風向き変更用回転グリル(12)が配置される前記空間の下方の開口部は、前記空間の外部に空気を放出する吹出口として機能しており、引用発明２は、前記空間から当該空間の下方Ｄの方向の外部に空気を放出する吹出口を備えているといえる。
　そして、引用発明２は、天井から吊り下げられているものであり、引用例２の第１図の記載からみて、ベルマウス部(14)の前記風を案内する面は、ベルマウス部(14)の上面といえ、本願発明の照明部の「上面」に相当し、更に斜め上方に向かって外側へ延びるように水平方向から傾斜しているといえる。
　さらに、更に、先に検討したとおり、吸込口(5)より吸込まれる風は、円形螢光ランプ付扇風機の外部から吸込まれ、ベルマウス部(14)で案内されて前記環状部分の中心部に形成された空間に導入されており、当該空間は後半ガード(4)よりも内側にある。すなわち、ベルマウス部(14)の前記上面は、前記環状部分の外部の空気を後半ガード(4)よりも内側の空間に案内しているといえ、引用発明２の「風は、吸込口(5)より吸込まれ、ベルマウス部(14)で案内され」る態様は、本願発明の「前記照明部の外部の空気を前記吊部よりも内側の空間へ案内する」態様に相当する。
　そうすると、引用発明２の「後半ガード(4)の下部には吸込口(5)が開設され、風向き変更用回転グリル(12)は前記空間の下方に配置され、送風用羽根車(1)を回転させると、風は、吸込口(5)より吸込まれ、ベルマウス部(14)で案内され、風向き変更用回転グリル(12)の回転で広域にわたって拡散される」態様は、本願発明の「前記照明器具には、前記羽根よりも上方から前記空間に空気を導入させる吸込口と、前記空間に連続するように前記空間の下方に位置し、且つ、前記空間の外部に空気を導出させる吹出口とが形成され、前記照明部は、上面を有し、前記上面は、斜め上方に向かって外側へ延びるように水平方向から傾斜して、前記照明部の外部の空気を前記吊部よりも内側の空間へ案内する案内面を形成してあ」る態様に相当する。
　ｄ．以上のことから、本願発明と引用発明２との一致点及び相違点は、以下のとおりと認められる。
【一致点】
「モータ回転軸に連結された羽根を含み且つ略鉛直方向に延びる回転軸線を有する送風機と、発光体を含む照明部と、前記送風機の外側に前記照明部を吊り下げる吊部とを備え、室内の天井に設置される照明器具であって、
　前記羽根は、上方の空気を下方へ送り、前記室内の空間に気流を発生させるプロペラファンであり、前記照明部の中心部に形成された空間に配置され、且つ、鉛直方向に沿う方向について、前記照明部の上端の位置に前記羽根の下端の位置が略一致する位置と、前記照明部の下端の位置に前記羽根の下端の位置が略一致する位置との間に配置され、かつ前記羽根の上端は前記照明部の上端よりも上方に位置し、
　前記照明器具には、前記羽根よりも上方から前記空間に空気を導入させる吸込口と、前記空間に連続するように前記空間の下方に位置し、且つ、前記空間の外部に空気を導出させる吹出口とが形成され、
　前記照明部は、上面を有し、
　前記上面は、斜め上方に向かって外側へ延びるように水平方向から傾斜して、前記照明部の外部の空気を前記吊部よりも内側の空間へ案内する案内面を形成してある、照明器具。」
【相違点】
　本願発明は、全風量が８ｍ３／ｍｉｎ以上の空気が前記吹出口から吹き出されるように、前記吹出口の直径および前記羽根の直径を設定してあり、且つ、前記送風機の前記モータ回転軸が回転する速度を設定してあるのに対し、引用発明は、そのような特定がなされていない点。
（２）判断
　ａ．相違点について検討すると、前記「第５　１．（２）」において検討したとおり、室内全体において空気を循環させる送風機において、全風量の多寡により当該室内の上下の温度分布が異なることは、技術常識であり、また同送風機として、８ｍ３／ｍｉｎ以上の全風量は特別なものではない。
　また、本願発明において全風量を８ｍ３／ｍｉｎ以上とした点に臨界的意義は認められず、更に、国際規格を満たすように全風量を設定し、当該全風量が得られるように、吹出口の直径、羽根の直径及び送風機のモータ回転軸の回転速度を設定することは、当業者が容易に想到し得る事項であって、その具体的な数値をどのようにするかは、当業者が実験的に適宜定め得る事項であることも、前記「第５　１．（２）」において検討したとおりである。
　したがって、引用発明２において、相違点に係る本願発明を特定する事項のようにすることは、当業者が容易になし得る事項である。
　ｂ．そして、本願発明の奏する効果に、引用例２に記載された事項に基いて当業者が容易に想到し得る範囲を越えるものは見いだせない。
　ｃ．以上のとおりであるから、本願発明は、引用発明２に基いて、当業者が容易に発明をすることができたものである。
　これに対し、請求人は、意見書において、本願発明は、「前記照明部は、上面を有し、前記上面は、斜め上方に向かって外側へ延びるように水平方向から傾斜して、前記照明部の外部の空気を前記吊部よりも内側の空間へ案内する案内面を形成してあり」という発明特定事項を備えており、照明部の上面と天井との間に形成される流路の面積が次第に拡大するので、照明部の上面に沿って流れる空気は吊部よりも内側の空間を通ってプロペラファンの周囲まで容易に流れ、送風性能を向上させることができるという効果を奏するのに対し、引用例２に開示されている円形蛍光ランプ付扇風機は、送風用羽根車１よりも上側に配置される後半ガード４の吸気口５を通じて、照明部の外部の空気を取込む構成としたものであり、引用例２には前記発明特定事項は記載されておらず、示唆もされていない旨主張している（意見書【意見の内容】（３）（３−１−１），（３−１−２）参照）。
　しかしながら、引用例２に前記発明特定事項に相当する事項が記載されていることは、先に検討したとおりである。
　したがって、請求人の主張は、採用することができない。
第６　むすび
　以上のとおり、本願発明は、引用発明１に基いて、また引用発明２に基いて、当業者が容易に発明をすることができたものであるから、特許法第２９条第２項の規定により、特許を受けることができない。
　したがって、他の請求項に係る発明について検討するまでもなく、本願は拒絶すべきものである。
　よって、結論のとおり審決する。